(57)【要約】【課題】高い防水性能を維持し続けることが可能なスピーカ装置を提供する。【解決手段】このスピーカ装置１は、スピーカホルダ１２をユニット本体１３に取り付けてなるスピーカユニット３の防水ケース２への取付方向が防水ケース２に対するスピーカホルダ１２の圧接方向と略直交するように構成されており、ユニット本体３に係合溝６１を設けるとともに、スピーカホルダ１２に係合溝６１と前記圧接方向に沿って所定量変位可能な状態で係合する係合突起２６を設け、ユニット本体１３とスピーカホルダ１２との間に圧縮コイルバネ１４を介在させている。そして、スピーカホルダ１２を圧縮コイルバネ１４の弾性力に抗してユニット本体１３側に変位させてスピーカユニット３を防水ケース２に取り付け、その取付状態においてスピーカホルダ１２が圧縮コイルバネ１４の弾性力によって防水パッキン１６を介して防水ケース２に圧接している。【選択図】図２
2007201568.tif 000002
【特許請求の範囲】
【請求項１】
スピーカを収納するスピーカホルダをユニット本体に取り付けてなるスピーカユニットと、このスピーカユニットを覆うように配設されて前記スピーカホルダのスピーカに対応する位置に開口部を有する防水ケースとを備え、前記スピーカホルダが防水パッキンを介して前記防水ケースの開口部周縁に圧接しており、前記スピーカユニットの前記防水ケースへの取付方向が前記防水ケースに対する前記スピーカホルダの圧接方向と略直交するスピーカ装置において、
前記ユニット本体に本体側係合部を設けるとともに、前記スピーカホルダに前記本体側係合部と前記圧接方向に沿って所定量変位可能な状態で係合するホルダ側係合部を設け、
前記ユニット本体と前記スピーカホルダとの間に弾性部材を介在させ、
前記スピーカホルダを前記弾性部材の弾性力に抗して前記ユニット本体側に変位させて前記スピーカユニットを前記防水ケースに取り付け、その取付状態において前記スピーカホルダが前記弾性部材の弾性力によって前記防水パッキンを介して前記防水ケースに圧接していることを特徴とするスピーカ装置。
【請求項２】
前記弾性部材は、前記スピーカホルダに収納されたスピーカの背面に当接して該スピーカを前記スピーカホルダに押付固定することを特徴とする請求項１に記載のスピーカ装置。
【請求項３】
前記ホルダ側係合部は、前記スピーカホルダの内面に突設された係合突起であり、
前記本体側係合部は、前記ユニット本体の外面に前記圧接方向に沿って延設されて前記係合突起を導き入れる挿入溝部と、前記挿入溝部に連設されて前記圧接方向に略直交する方向に延びる回転溝部と、前記回転溝部に連設されて前記圧接方向に沿って延びる固定溝部とを含む鉤状に形成されており、
前記係合突起が、前記弾性部材の弾性力に抗しながら前記挿入溝部および回転溝部を通過したのち前記弾性部材の弾性力によって前記固定溝部と係合することを特徴とする請求項１または２に記載のスピーカ装置。
【発明の詳細な説明】
【技術分野】
【０００１】
本発明は、音を発するスピーカを搭載したスピーカ装置に関するものである。
【背景技術】
【０００２】
従来、報知・警報等の音を発するスピーカを収納するスピーカホルダをユニット本体に固定的に取り付けて構成されるスピーカユニットが知られている。このようなスピーカユニットを例えば図９に示す屋外の壁面Ｗに設置する場合には、雨や放水に対する防水の観点から開口構造のスピーカを収納するスピーカホルダ２１２が鉛直下方を向くようにスピーカユニット２０３を配設するとともに、スピーカユニット２０３全体を防水ケース２０２で覆うのが一般的である。そして、防水ケース２０２の底面にスピーカ用の開口部２０７ａを設け、スピーカホルダ２１２をその開口部２０７ａ周縁に防水パッキン２１６を介して押し付けることによって開口部２０７ａにおける防水性を確保している（例えば、特許文献１）。
【０００３】
また、スピーカユニット２０３を収容した防水ケース２０２（以下、スピーカ装置という）の壁面Ｗからの突出度合いを抑えるべくスピーカ装置が壁面Ｗに沿った扁平形状に構成されており、その形状でのスピーカユニット２０３の防水ケース２０２への取付強度を効率良く確保するために該スピーカユニット２０３を偏平方向に直交して防水ケース２０２にネジ２０８で固定している。
【０００４】
これにより、従来のスピーカ装置では、スピーカユニット２０３の防水ケース２０２への取付方向が防水ケース２０２に対するスピーカホルダ２１２の圧接方向と略直交するようになっている。
【０００５】
なお、特許文献２には、収納箱に収納されたスピーカを、コイルバネで支持しながらそのコイルバネの弾性力により収納箱のスピーカ窓部の内側にパッキンを介して押し付けるように構成したスピーカ取付方法が開示されている。
【特許文献１】実用新案登録第３０１０４４９号公報
【特許文献２】特開昭５２−７８４２３号公報
【発明の開示】
【発明が解決しようとする課題】
【０００６】
しかしながら、図９に示すような従来のスピーカ装置では、防水ケース２０２に対するスピーカホルダ２１２の圧接方向がスピーカユニット２０３の防水ケース２０２への取付方向と直交しており、かつスピーカを収納するスピーカホルダ２１２がユニット本体に固定的に取り付けられているため、スピーカホルダ２１２を防水ケース２０２に対して十分に圧接させながらスピーカユニット２０３を防水ケース２０２に取り付けたとしても、時間の経過に伴って各構成部材が形状劣化するなどしてその圧接力が低下するという不都合があった。これにより、長期間に亘って高い防水性能を維持するのが困難であるという問題点があった。
【０００７】
この発明は、上記のような課題を解決するためになされたものであり、高い防水性能を維持し続けることが可能なスピーカ装置を提供することを目的とする。
【課題を解決するための手段】
【０００８】
上記目的を達成するために、この発明のスピーカ装置は、スピーカを収納するスピーカホルダをユニット本体に取り付けてなるスピーカユニットと、このスピーカユニットを覆うように配設されて前記スピーカホルダのスピーカに対応する位置に開口部を有する防水ケースとを備え、前記スピーカホルダが防水パッキンを介して前記防水ケースの開口部周縁に圧接しており、前記スピーカユニットの前記防水ケースへの取付方向が前記防水ケースに対する前記スピーカホルダの圧接方向と略直交するスピーカ装置において、前記ユニット本体に本体側係合部を設けるとともに、前記スピーカホルダに前記本体側係合部と前記圧接方向に沿って所定量変位可能な状態で係合するホルダ側係合部を設け、前記ユニット本体と前記スピーカホルダとの間に弾性部材を介在させ、前記スピーカホルダを前記弾性部材の弾性力に抗して前記ユニット本体側に変位させて前記スピーカユニットを前記防水ケースに取り付け、その取付状態において前記スピーカホルダが前記弾性部材の弾性力によって前記防水パッキンを介して前記防水ケースに圧接していることを特徴とする。
【０００９】
部品点数の増加を抑制するために、前記弾性部材は、前記スピーカホルダに収納されたスピーカの背面に当接して該スピーカを前記スピーカホルダに押付固定するように構成されるのが好ましい。
【００１０】
スピーカホルダのユニット本体に対する取付けおよび取外しを容易に行うために、前記ホルダ側係合部は、前記スピーカホルダの内面に突設された係合突起であり、前記本体側係合部は、前記ユニット本体の外面に前記圧接方向に沿って延設されて前記係合突起を導き入れる挿入溝部と、前記挿入溝部に連設されて前記圧接方向に略直交する方向に延びる回転溝部と、前記回転溝部に連設されて前記圧接方向に沿って延びる固定溝部とを含む鉤状に形成されており、前記係合突起が、前記弾性部材の弾性力に抗しながら前記挿入溝部および回転溝部を通過したのち前記弾性部材の弾性力によって前記固定溝部と係合するように構成されるのが好ましい。
【発明の効果】
【００１１】
この発明のスピーカ装置によれば、スピーカユニットの防水ケースへの取付状態でスピーカホルダが弾性部材の弾性力によって防水パッキンを介して防水ケースに圧接するように構成したので、時間の経過に伴って各構成部材が形状劣化したとしても、上記圧接状態を維持し続けることができる。これによって、長期間に亘る高い防水性能を容易に維持することができる。
【発明を実施するための最良の形態】
【００１２】
以下、本発明の実施形態を図面に基づいて説明する。
【００１３】
図１は、本発明の一実施形態によるスピーカ装置の全体構成を示した斜視図であり、図２は、図１に示したスピーカ装置を壁面に取り付けた状態でのＡ−Ａ線に沿った断面図である。また、図３は、図１に示したスピーカ装置のスピーカユニットを示した正面図であり、図４〜図６は、図３に示したスピーカユニットの各構成部材の斜視図である。まず、図１および図２を参照して、本発明の一実施形態によるスピーカ装置１の全体構成について説明する。
【００１４】
本実施形態のスピーカ装置１は、例えば屋外の壁面Ｗ（図２参照）に設置可能なように構成されており、雨や放水に対する防水機能を有する防水ケース２と、防水ケース２内に収納されて報知・警報等の音を発する機能を有するスピーカユニット３とを備えている。
【００１５】
防水ケース２は、スピーカユニット３を取り付けるボディ４と、ボディ４に対して上下方向にスライドしてスピーカユニット３を覆うカバー５とにより構成されている。
【００１６】
ボディ４は、図２に示すように、図略の固定具によって壁面Ｗに固定されており、壁面Ｗに沿って延びる垂直部６と、垂直部６の下端縁から直角に折れ曲がって延びる水平部７とを含む側面視で略Ｌ字形状を有している。
【００１７】
垂直部６には、スピーカユニット３をボディ４に取り付けるための第１ネジ８が螺合する第１ネジ孔６ａが設けられている。本実施形態では、水平方向に配された第１ネジ８によってスピーカユニット３が防水ケース２に固定されているが、これは以下の理由による。
【００１８】
すなわち、スピーカ装置１を壁面Ｗに沿った扁平形状に構成してスピーカ装置１の壁面Ｗからの突出度合いを抑えているため、その形状においてスピーカユニット３の防水ケース２への取付強度を効率良く確保するために、該スピーカユニット３を偏平方向に直交して防水ケース２にネジ止め固定している。
【００１９】
水平部７には、次述するスピーカユニット３のスピーカホルダ１２に収納されたスピーカ１１に対応する位置に円形の開口部７ａが形成されている。この開口部７ａは、スピーカ１１から発せられる音を通過させるために設けられている。
【００２０】
スピーカユニット３は、スピーカ１１を収納するスピーカホルダ１２をユニット本体１３に取り付けて構成されており、雨や放水に対する防水の観点から開口構造を有するスピーカホルダ１２が鉛直下方を向くように配設されている。つまり、スピーカユニット３は、スピーカホルダ１２が防水ケース２の開口部７ａに臨まされた姿勢で防水ケース２に取り付けられている。また、ユニット本体１３とスピーカホルダ１２との間には、圧縮コイルバネ１４が配設されている。なお、圧縮コイルバネ１４は、本発明の「弾性部材」の一例である。
【００２１】
スピーカホルダ１２には、図５に示すように、円環状のスピーカパッキン１５を介在させてスピーカ１１が収納されるようになっている。このスピーカ１１の背面には上記圧縮コイルバネ１４の一端が当接しており、これによってスピーカ１１がスピーカパッキン１５を介してスピーカホルダ１２に押付固定されるようになっている。また、スピーカホルダ１２の外面には、円環状の防水パッキン１６が装着されている。スピーカホルダ１２は、前記圧縮コイルバネ１４の弾性力によって防水パッキン１６を介して防水ケース２の開口部７ａ周縁部位に圧接（水密状態で接触）するように構成されている。詳しくは、圧縮コイルバネ１４の弾性力がスピーカ１１を介してスピーカホルダ１２に伝達されることによって、防水パッキン１６がスピーカホルダ１２と防水ケース２との間で圧縮され、防水ケース２の開口部７ａにおける防水性が十分に確保されるようになっている。
【００２２】
スピーカホルダ１２は、図２、図５および図６に示すように、防水ケース２の開口部７ａに臨まされる円形状の底部２１と、底部２１の外端縁から上方に立ち上がる第１立上り部２２と、第１立上り部２２の上端縁から外方へ張り出す張出部２３と、張出部２３の外端縁から上方に立ち上がる第２立上り部２４とにより構成されている。
【００２３】
底部２１の上面と第１立上り部２２の内周面とにより形成される断面Ｌ字状の部位には、前記スピーカパッキン１５およびスピーカ１１が嵌め込まれて保持されている。
【００２４】
また、第１立上り部２２の外周面と張出部２３の下面とにより形成される断面Ｌ字状の部位には、前記防水パッキン１６が嵌め込まれて装着されている。この防水パッキン１６の下端面は、図示は省略するが、スピーカホルダ１２への装着状態において底部２１の下端面よりも下方に突出するように寸法設計されており、これによってスピーカユニット３を防水ケース２に取り付けた状態では圧縮コイルバネ１４の弾性力によって防水パッキン１６のみが防水ケース２に密接して圧縮されるようになっている。
【００２５】
底部２１には、スピーカ１１から発せられる音を通過させるためのメッシュ（網目）構造を有するスピーカ開口部２５が形成されている。
【００２６】
ここで、第２立上り部２４の内周面には、互いに対向する位置に一対の係合突起２６が設けられている。この係合突起２６は、後述するユニット本体１３の係合溝６１と圧接方向（上下方向）に沿って所定量変位可能な状態で係合するようになっている。なお、係合突起２６は、本発明の「ホルダ側係合部」の一例であり、係合溝６１は、本発明の「本体側係合部」の一例である。
【００２７】
ユニット本体１３は、ブラケット３０と、ブラケット３０を介してボディ４に取り付けられる前カバー４０とにより構成されており、スピーカ１１への電力供給やスピーカ１１の報知動作等の制御を行うための基板５１および報知回路５２を収容している。
【００２８】
詳細には、図２および図３に示すように、ブラケット３０の適所には第２ネジ孔３１が形成されており、前カバー４０の適所には第２ネジ挿入孔４１が形成されている。そして、第２ネジ５３（図２参照）を前カバー４０の第２ネジ挿入孔４１に挿入してブラケット３０の第２ネジ孔３１に螺合させることによって前カバー４０とブラケット３０とを固定している。
【００２９】
また、ブラケット３０の適所には、前記第１ネジ８を挿通させるための貫通孔３２ａを有する位置決めボス３２が形成されているとともに、前カバー４０の適所には、ブラケット３０に向けて突設されて第１ネジ８を挿入するための第１ネジ挿入孔４２ａを有する基板固定ボス４２が形成されている。そして、第１ネジ８を前カバー４０の第１ネジ挿入孔４２ａとブラケット３０の貫通孔３２ａとに順次挿入して前述したボディ４の第１ネジ孔６ａに螺合させることによって前カバー４０をブラケット３０とともに防水ケース２のボディ４にネジ止め固定している。
【００３０】
ブラケット３０の位置決めボス３２は、基板５１に設けられた孔部に挿入されるとともに、前カバー４０の基板固定ボス４２に当接するように構成されており、これによって基板５１と基板５１に取り付けられた報知回路５２とをユニット本体１３内で保持するようになっている。なお、基板５１にはスピーカ１１から導出された図略のリード線が接続されている。このリード線は、十分な線長さを有するように長さ設定されており、スピーカホルダ１２がユニット本体１３から取り外された際に部材間で引っ張られることのないようになっている。
【００３１】
前カバー４０の下端には、スピーカホルダ１２を取付可能なホルダ取付部４３が形成されている。ホルダ取付部４３は、比較的小径な上側胴部４４と、上側胴部４４の下方に連設された比較的大径な下側胴部４５とにより構成された中空構造を有している。
【００３２】
上側胴部４４の内側には、上側胴部４４と同心のバネ用ボス４６が立設されている。このバネ用ボス４６には、スピーカ１１の背面に当接する前記圧縮コイルバネ１４の他端が取り付けられている。
【００３３】
下側胴部４５の外周面には、図４に示すように、前記スピーカホルダ１２の係合突起２６と各々係合する係合溝６１が設けられている。係合溝６１は、図７に示すように、垂直方向に沿って延設された挿入溝部６２と、挿入溝部６２に連設されて水平方向に延びる回転溝部６３と、回転溝部６３に連設されて垂直方向に沿って延びる固定溝部６４とを有する鉤状に形成されている。
【００３４】
挿入溝部６２は、スピーカホルダ１２の係合突起２６を下側胴部４５の下端縁から導き入れて鉛直上方の回転溝部６３に向けてガイドする機能を有している。回転溝部６３は、挿入溝部６２を通過した係合突起２６を固定溝部６４に向けてガイドする機能を有している。固定溝部６４は、係合突起２６と係合してスピーカホルダ１２をユニット本体１３に取り付ける機能を有している。すなわち、係合突起２６が圧縮コイルバネ１４の弾性力により固定溝部６４の下端において係止されることによってスピーカホルダ１２がユニット本体１３に固定されている。また、係合突起２６は、圧接方向に沿ってある程度変位したとしても固定溝部６４内に留まるようになっており、これによって固定溝部６４との係合状態が容易に解除されることがないように構成されている。
【００３５】
次に、図７を参照して、スピーカホルダ１２のユニット本体１３への取付手順、および、スピーカユニット３の防水ケース２への取付手順について説明する。
【００３６】
スピーカ１１を収納したスピーカホルダ１２をユニット本体１３のホルダ取付部４３に取り付けるには、まず、図７（ａ）に示すように、スピーカホルダ１２の係合突起２６をユニット本体１３の挿入溝部６２の下端（下側胴部４５の下端縁）に対応させた状態から、スピーカホルダ１２に例えばユーザの手等により外力を作用させてスピーカホルダ１２を圧縮コイルバネ１４の弾性力に抗してユニット本体１３側に変位させ、係合突起２６を挿入溝部６２内に進入させる。そして、係合突起２６が挿入溝部６２の上端に到達すると、スピーカホルダ１２をユニット本体１３に対して右回りに約９０度回転させ、係合突起２６を回転溝部６３内を移動させる。そして、係合突起２６が固定溝部６４に到達すると、スピーカホルダ１２に作用させていた外力を解除する。これにより、圧縮コイルバネ１４の弾性力に従ってスピーカホルダ１２がユニット本体１３から遠ざかる方向に変位し、係合突起２６が固定溝部６４内を下方に向けて移動する。そして、係合突起２６が固定溝部６４の下端で係止され（図７（ｂ）参照）、スピーカホルダ１２がユニット本体１３に対して固定的に取り付けられることとなる。
【００３７】
なお、スピーカホルダ１２をユニット本体１３から取り外す際には、係合突起２６が固定溝部６４から回転溝部６３を通って挿入溝部６２へと移動するように、上記とは逆の手順に従ってスピーカホルダ１２をユニット本体１３に対して変位及び回転させればよい。
【００３８】
次に、スピーカユニット３を例えば予め壁面Ｗに取り付けられた防水ケース２のボディ４に取り付けるには、スピーカユニット３のスピーカホルダ１２にユーザの手等により外力を作用させてスピーカホルダ１２を圧縮コイルバネ１４の弾性力に抗してユニット本体１３側にある程度変位させ、係合突起２６を固定溝部６４内で上方に移動させる。そして、その変位させた状態を保ちつつスピーカユニット３を防水ケース２のボディ４の所定位置に宛がい、スピーカホルダ１２に作用させていた外力を解除する。その後、第１ネジ８を用いてスピーカユニット３を防水ケース２のボディ４にネジ止め固定する。この取付状態では、図７の（ｃ）に示すように、スピーカホルダ１２が圧縮コイルバネ１４の弾性力に抗してユニット本体１３側に所定量ｄ変位しており、その変位量ｄに対応する圧縮コイルバネ１４の弾性力によってスピーカホルダ１２が防水パッキン１６を介して防水ケース２のボディ４の開口部７ａ周縁に圧接している。
【００３９】
なお、上記同様の手順によって予めスピーカユニット３を防水ケース２のボディ４に取り付けた後、ボディ４を壁面Ｗに取り付けることによっても同様の取付形態を得ることが可能である。
【００４０】
本実施形態では、上記のように、スピーカユニット３の防水ケース２への取付状態でスピーカホルダ１２が圧縮コイルバネ１４の弾性力によって防水パッキン１６を介して防水ケース２に圧接するように構成したので、時間の経過に伴って各構成部材が形状劣化したとしても、上記圧接状態を維持し続けることができる。これによって、長期間に亘る高い防水性能を容易に維持することができる。
【００４１】
また、本実施形態では、上記のように、圧縮コイルバネ１４が、スピーカホルダ１２に収納されたスピーカ１１の背面に当接して該スピーカ１１をスピーカホルダ１２に押付固定する構成としたので、防水パッキン１６を介してスピーカホルダ１２を防水ケース２に圧接させるための圧縮コイルバネ１４に、スピーカ１１をスピーカホルダ１２に固定するための部材を兼用させることができる。これによって、部品点数の増加を抑制することができる。
【００４２】
また、本実施形態では、上記のように、係合突起２６が、圧縮コイルバネ１４の弾性力に抗しながら挿入溝部６２および回転溝部６３を通過したのち圧縮コイルバネ１４の弾性力によって固定溝部６４と係合するように構成したので、スピーカホルダ１２の係合突起２６をユニット本体１３の係合溝６１に無理なく係合させることができる。これによって、スピーカホルダ１２のユニット本体１３に対する取付け及び取外しを容易に行うことができる。
【００４３】
なお、上記実施形態では、挿入溝部６２、回転溝部６３および固定溝部６４からなる係合溝６１をユニット本体１３のホルダ取付部４３に形成したが、これに限らず、図８に示すように、固定溝部１６４のみからなる係合溝１６１をユニット本体１３のホルダ取付部４３に形成しても良い。この場合、一対の係合突起２６同士が遠ざかるようにスピーカホルダ１２を撓ませた状態で、係合突起２６をホルダ取付部４３の係合溝１６１に嵌め込む、いわゆる無理嵌めすることによってスピーカホルダ１２をユニット本体１３に取り付けることが可能である。
【００４４】
また、上記実施形態では、本発明のスピーカ装置を、屋外の壁面Ｗに設置されるスピーカ装置１に適用する例について示したが、これに限らず、浴室等の水滴が飛散するような状況下に設置されるスピーカ装置にも適用可能である。
【００４５】
また、上記実施形態では、スピーカホルダ１２とユニット本体１３との間に圧縮コイルバネ１４を介在させ、スピーカホルダ１２が防水パッキン１６を介して防水ケース２の開口部７ａ周縁に圧接するように構成する例について示したが、これに限らず、上記圧縮コイルバネ１４に代えて例えば板バネを用いて、スピーカホルダ１２を、防水パッキン１６を介して防水ケース２のボディ４の開口部７ａ周縁に圧接させるようにしてもよい。
【図面の簡単な説明】
【００４６】
【図１】本発明の一実施形態によるスピーカ装置の全体構成を示した斜視図である。
【図２】図１に示したスピーカ装置を壁面に取り付けた状態でのＡ−Ａ線に沿った断面図である。
【図３】図１に示したスピーカ装置のスピーカユニットを示した正面図である。
【図４】図３に示したスピーカユニットのユニット本体の斜視図である。
【図５】図３に示したスピーカユニットのスピーカホルダに収納される各部材の配置構成を示した分解斜視図である。
【図６】図５に示したスピーカホルダを異なった視線から見た状態の斜視図である。
【図７】スピーカホルダのユニット本体への取付手順を説明するための概略図である。
【図８】本発明の変形例によるスピーカホルダのユニット本体への取付構成を示した説明図である。
【図９】従来のスピーカ装置の全体構成を示した概略断面図である。
【符号の説明】
【００４７】
１  スピーカ装置
２  防水ケース
３  スピーカユニット
７ａ  開口部
１１  スピーカ
１２  スピーカホルダ
１３  ユニット本体
１４  圧縮コイルバネ（弾性部材）
１６  防水パッキン
２６  係合突起（ホルダ側係合部）
６１，１６１  係合溝（本体側係合部）
６２  挿入溝部
６３  回転溝部
６４，１６４  固定溝部
【図１】
2007201568.tif 000003
【図２】
2007201568.tif 000004
【図３】
2007201568.tif 000005
【図４】
2007201568.tif 000006
【図５】
2007201568.tif 000007
【図６】
2007201568.tif 000008
【図７】
2007201568.tif 000009
【図８】
2007201568.tif 000010
【図９】
2007201568.tif 000011